(57)【特許請求の範囲】
【請求項１】
ディジタル放送を受信して予約録画が行えるディジタル放送受信装置において、予約録画に失敗した番組の番組情報と他の番組の番組情報とを比較することによって、当該予約録画に失敗した番組との一致率が所定程度以上である他の番組を選出する選出手段と、選出された番組のリストと共に予約録画に失敗した理由を表示する手段と、を備え、前記選出手段は、監視モードが選択されたときは、新たに取得した番組情報に基づく前記番組選出処理を予め設定された期間だけ続行することを特徴とするディジタル放送受信装置。
【請求項２】
請求項１に記載のディジタル放送受信装置において、選出された各番組における前記一致率が前記リスト上に表示されることを特徴とするディジタル放送受信装置。
【請求項３】
請求項１又は請求項２に記載のディジタル放送受信装置において、選出された番組のリストを表示できる旨のメッセージを表示し、前記リストの表示を希望する操作がユーザーによって行われたときに、前記リストを表示するように構成されたことを特徴とするディジタル放送受信装置。
【請求項４】
請求項１乃至請求項３のいずれかに記載のディジタル放送受信装置において、前記リスト上の番組のなかでユーザーによって選択された番組の番組詳細をメモリから読み出して表示するように構成されたことを特徴とするディジタル放送受信装置。
【請求項５】
請求項１乃至請求項４のいずれかに記載のディジタル放送受信装置において、前記リスト上の番組のなかでユーザーによって選択された番組について新たに録画予約を行うように構成されたことを特徴とするディジタル放送受信装置。
【請求項６】
請求項１乃至請求項５のいずれかに記載のディジタル放送受信装置において、予め設定された条件に従って前記リスト上の番組のなかから自動的に番組を選択して予約録画を実行するように構成されたことを特徴とするディジタル放送受信装置。
【発明の詳細な説明】
【技術分野】
【０００１】
この発明は、ディジタル放送を受信して予約録画が行えるディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像及び音声信号を出力する。
【０００３】
このようなディジタル放送では、従来のアナログ放送と同様に映像や音声を送信することに加え、ＥＰＧ（電子番組ガイド）などに利用される番組情報（番組名、番組開始時間、番組継続時間、番組内容情報、番組ジャンル情報等）も送信している（特許文献１参照）。また、従来より、予約録画機能を備えたディジタル放送受信装置が知られている。
【特許文献１】特開２００４−１８００８８号公報
【発明の開示】
【発明が解決しようとする課題】
【０００４】
しかしながら、従来のディジタル放送受信装置は、予約録画に失敗した場合にユーザーに対して適切な対応をとることができるものではなかった。
【０００５】
この発明は、上記の事情に鑑み、予約録画に失敗した場合にユーザーに対して適切な対応をとることができるディジタル放送受信装置を提供することを目的とする。
【課題を解決するための手段】
【０００６】
この発明のディジタル放送受信装置は、上記の課題を解決するために、ディジタル放送を受信して予約録画が行えるディジタル放送受信装置において、予約録画に失敗した番組の番組情報と他の番組の番組情報とを比較することによって、当該予約録画に失敗した番組との一致率が所定程度以上である他の番組を選出する手段と、選出された番組のリストを表示する手段と、を備えたことを特徴とする。
【０００７】
上記の構成であれば、予約録画に失敗した番組との一致率が所定程度以上である他の番組リストが表示されるので、ユーザーは、前記リストに基づいて、予約録画に失敗した番組と同じであろうと思われる番組について新たに録画予約を行うことが容易になる。
【０００８】
上記構成のディジタル放送受信装置において、選出された各番組における前記一致率が前記リスト上に表示されることとしてもよい。また、これら構成のディジタル放送受信装置において、選出された番組のリストを表示できる旨のメッセージを表示し、前記リストの表示を希望する操作がユーザーによって行われたときに、前記リストを表示するように構成されていてもよい。
【０００９】
また、これら構成のディジタル放送受信装置において、新たに取得した番組情報に基づいて前記番組選出処理を引き続き行う処理モードを選択できるように構成されていてもよい。
【００１０】
また、これら構成のディジタル放送受信装置において、前記リスト上の番組のなかでユーザーによって選択された番組の番組詳細をメモリから読み出して表示するように構成されていてもよい。また、これら構成のディジタル放送受信装置において、前記リスト上の番組のなかでユーザーによって選択された番組について新たに録画予約を行うように構成されていてもよい。
【００１１】
また、これら構成のディジタル放送受信装置において、予め設定された条件に従って前記リスト上の番組のなかから自動的に番組を選択して予約録画を実行するように構成されていてもよい。
【発明の効果】
【００１２】
この発明によれば、予約録画に失敗した場合にユーザーに対して適切な対応をとることができるという効果を奏する。
【発明を実施するための最良の形態】
【００１３】
以下、この発明の実施形態のディジタル放送受信装置を図１及び図２に基づいて説明する。
【００１４】
図１において、アンテナ１Ａ，１Ｂは、屋外において所定の方向に向けて配置されており、衛星や地上放送局から送られてくるディジタル放送信号を受信する。
【００１５】
ＢＳ／ＣＳディジタルチューナ２Ａ及び地上ディジタルチューナ２Ｂは、映像・音声データを含む高周波ディジタル変調信号のうちから特定周波数の信号を取り出す。また、チューナ２Ａ，２Ｂは、復調回路、逆インタリーブ回路、誤り訂正回路などを備えることにより、選択したディジタル変調信号を復調してトランスポート・ストリームを出力する。なお、この実施形態では、一方のチューナによる受信番組を視聴しつつ、他方のチューナによる番組録画が行えるようにしている。
【００１６】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デコーダ３は、ビデオストリームとオーディオストリームを入力するＡＶデコーダ部を有する。また、前記ＰＳＩ／ＳＩ等をＣＰＵ１３に供給する。なお、前述のごとく、トランスポートストリームには複数のチャンネルが多重化されており、このなかから任意のチャンネルを選択するための処理は、前記ＰＳＩ／ＳＩから任意のチャンネルがトランスポートストリーム中でどのパケットＩＤで多重化されているかといったデータを取り出すことで可能となる。また、トランスポートストリームの選定もＰＳＩ／ＳＩの情報に基づいて行うことができる。
【００１７】
前記ＡＶデコーダ部はビデオストリームに対してデコードを行うビデオデコーダ、オーディオストリームに対してデコードを行うオーディオデコーダから成る。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データは映像処理部４に出力され、音声データは音声処理部５に出力される。
【００１８】
映像処理部４は、受信映像の映像データを受け取ってＤ／Ａ変換及びダウンデコード処理（例えばメモリ１４内でフレームを形成する）を行い、例えばコンポジット映像信号に変換する。また、映像処理部４はＯＳＤ（オンスクリーンディスプレイ）機能を有し、ＣＰＵ１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００１９】
映像信号はアンプ７を経て映像出力部１１に供給される。音声データはＤ／Ａ変換アンプ８を経てアナログ信号に変換されて音声出力部１２に入力される。映像出力部１１及び音声出力部１２には、図示しないＡＶ出力端子を介して図示しないディスプレイ及びスピーカが接続される。
【００２０】
メモリ（ＲＡＭ、ＥＥＰＲＯＭ、フラッシュメモリ、ＲＯＭ等）１４には、番組情報（ＥＰＧデータ）、ユーザーにより設定された各種設定情報、録画予約の登録内容などが格納される。
【００２１】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。サブＣＰＵ１６は、前記リモコン送信機１５のキーが操作されたときに出力される信号光を受光し、これを電気信号に変換してコード解析を行い、チャンネル選局指令等をＣＰＵ１３に与える。
【００２２】
また、放送受信装置３０には、メモリカード用Ｉ／Ｆ（インターフェイス）１７が設けられており、このメモリカード用Ｉ／Ｆ１７を介してメモリカード１８を装着することができる。また、ＵＳＢ用Ｉ／Ｆ（インターフェイス）１９が設けられており、このＵＳＢ用Ｉ／Ｆ１９を介してＵＳＢメモリ２０を装着することができる。また、ハードディスクドライブ（ＨＤＤ）２３が装着されている。ハードディスクドライブ（ＨＤＤ）２３には受信した放送（パーシャルトランスポートストリーム、ディジタル映像・音声データ）が記憶（録画）される。
【００２３】
また、放送受信装置３０には、ＬＡＮ用Ｉ／Ｆ（インターフェイス）２１が設けられており、このＬＡＮ用Ｉ／Ｆ２１を介してＬＡＮカード２２を装着することができる。前記ＬＡＮカード２２を介してインターネット上のサイトに接続することにより、このサイトから各種の情報をダウンロードすることができる。
【００２４】
ＣＰＵ１３及びサブＣＰＵ１６は、放送受信装置３０の全体制御を行う他、この発明にかかる処理として予約録画処理及び予約録画に失敗した場合の処理を実行する。予約録画処理は、予め設定された日時とチャンネルとに基づき、内部タイマーにより示される現在日時が予約日時となったかどうかを判断し、現在日時が予約日時となったときには（電源ＯＦＦ状態でＣＰＵ１３への通電が行われていないときにはサブＣＰＵ１６がＣＰＵ１３を起動させる）、予約チャンネルの受信をチューナ２に指示するとともに、受信映像・音声をハードディスクドライバ２３のハードディスクに記録する。なお、録画予約はＥＰＧ画面上での番組指定、バーコード入力、数値入力、直接入力などで行えるが、ここでは、録画予約番組の番組情報（ネットワークＩＤ、サービスＩＤ、ｅｖｅｎｔ＿ｉｄ、開始時刻、番組名）を利用する録画予約が行われることとする。録画予約番組の番組情報はＣＰＵ１３の処理によってメモリ１４に格納される。録画実行時には、受信した放送波から番組情報を取得し、録画しようとする番組が予約番組と同一のｅｖｅｎｔ＿ｉｄを有するかどうかを確認する。そして、開始時刻に変更がなくｅｖｅｎｔ＿ｉｄが同一である場合に予約録画を実行する。また、直接入力でも、その予約日時とチャンネル情報とをＥＰＧデータに照らし合わせて前記番組情報を取得することも可能である。
【００２５】
ところで、時間的に接近している二つの番組を録画する場合において、先行する番組が後の録画予約番組の開始時刻を超えて時間延長されると、その延長を示す情報に従って録画延長を行うことが可能であり、このような録画延長を行う設定の下では、後の録画予約番組は録画されず、録画失敗となる。また、録画実行時に停電が生じたり主電源ＯＦＦとなっていたときにも、録画失敗となる。番組そのものの放送が中止（延期）となったときにも、録画失敗となる。
【００２６】
ＣＰＵ１３は、図２に示すように、予約実行結果を作成し、ＯＳＤ機能を用いて画面に予約実行結果を表示する。図２に示す予約実行結果例では、録画に失敗した番組について、放送種別、チャンネル番号、日時、番組名、失敗理由、同一番組と思われる番組の候補（リスト）、及び一致率を作成して表示している。
【００２７】
図２に示す例では、失敗理由は、「前の番組が重なったため予約は破棄しました」となっている。この失敗理由は、先述したごとく、先行番組の録画延長によって後の番組の録画が行えなかった場合に対応している。失敗理由としては、上記の他、「予約日時において通電状態ではなかったため、録画できませんでした」といった理由がある。この失敗理由は、録画実行時に停電が生じたり主電源ＯＦＦとなっていた場合に対応する。また、失敗理由としては、上記の他、「予約番組が放送されなかったため録画できませんでした」といった理由がある。この失敗理由は、番組放送が中止（延期）となった場合に対応する。
【００２８】
同一番組と思われる番組の候補は、録画に失敗した番組の番組名（タイトル）及び番組内容の文言に一致する文言を例えば７０％以上の割合で番組名（タイトル）及び番組内容に有している他の番組を番組情報に基づいて検索することで得られる。
【００２９】
地上波の放送視聴中或いは録画実行中であるなら、新たに取得できる番組情報は現時点のチャンネルでしか得られない。地上波の放送視聴中或いは録画実行中でないなら、地上波のチャンネルを順に切り替えて各チャンネルから番組情報を取得することができる。衛星放送波の放送視聴中或いは録画実行中であっても、その受信チャンネル上で他のチャンネルの番組情報を得ることが可能である。この実施形態のように、ＢＳ／ＣＳディジタルチューナ２Ａ及び地上ディジタルチューナ２Ｂを有する場合、地上波の放送視聴中或いは録画実行中であっても、ＢＳ／ＣＳディジタルチューナ２Ａによって他チャンネルの番組情報を得ることができる。また、衛星放送波の放送視聴中或いは録画実行中であっても、地上ディジタルチューナ２Ｂによって地上波の各チャンネルの番組情報を得ることができる。また、ネットワーク上の特定のサイトにおいて番組情報（ＥＰＧデータ）を提供しているのであれば、当該サイト（ＵＲＬを予め登録しておく）にアクセスして番組情報を取得することも可能である。
【００３０】
放送視聴中に録画失敗が生じたのであれば、前記予約実行結果を現在視聴中の映像に重ね合わせて表示してもよい。放送を視聴していないときに録画失敗が生じたのであれば、その後の最初のテレビＯＮ時の画面に前記予約実行結果を表示することとしてもよい。また、リモコン送信機１５に設けられた所定のキーが操作されたときに、前記予約実行結果を表示してもよい。また、例えば、「予約実行結果を見ますか」といったメッセージを先ず表示し、所定の操作がユーザーによって行われたときに、予約実行結果を表示することとしてもよい。
【００３１】
図２に示す例では、「監視」と表記されたボタンが表示されている。このボタン上にハイライト（カーソル）を載せて決定ボタンを押下したときには、放送受信装置３０は新たに取得した番組情報に基づいて同一番組と思われる番組の候補の抽出処理を引き続き実行する。例えば、メニュー画面上で予め設定された監視日数（例えば、１０日）だけ、前記候補の抽出処理を続行することになるが、監視結果により提示された番組について録画予約がなされたときには、前記監視日数が残っていても監視を終了する。そして、例えば、テレビＯＮ時、或いはテレビＯＮ状態のときの一定時刻に、或いは新たな予約実行結果を作成した時点で、この新たな予約実行結果を画面に表示する。なお、直ちに新たな予約実行結果を表示するのではなく、例えば、「監視結果を見ますか」といったメッセージを表示し、所定の操作がユーザーによって行われたときに、予約実行結果を表示することとしてもよい。
【００３２】
録画失敗時の処理内容をメニュー画面上で予め選択しておくことができる。この選択の項目としては、例えば、「自動録画」、「予約実行結果を表示してユーザーが決定」などがある。また、「自動録画」の細部設定として、例えば、「他の予約番組と重複する場合には録画失敗番組を優先録画」、「他の予約番組と重複する場合には他の予約番組を優先録画」、「他の予約番組と重なるときには確認メッセージ表示」といった項目がある。また、「自動録画」の他の細部設定として、例えば、「最も開始時刻が早い番組」、「最も一致率が高い番組」、「一致率が８０％以上で且つ最も開始時刻が早い番組」といった項目がある。
【００３３】
例えば、「他の予約番組と重複する場合には他の予約番組を優先録画」で且つ「最も開始時刻が早い番組」が選択されているなら、他の予約番組と重ならない最も開始時刻が早い番組の録画予約を自動で行う。また、例えば、「他の予約番組と重なるときには確認メッセージ表示」で且つ「最も開始時刻が早い番組」が選択されている場合において、最も開始時刻が早い番組が他の予約と重なるときには、確認メッセージを表示する。例えば、「番組Ａと番組Ｂで予約の重複が生じました。番組Ａの予約を破棄するときには１キーを、番組Ｂの予約を破棄するときには２キーを押して下さい」といったメッセージを表示する。
【００３４】
例えば、「予約実行結果を表示してユーザーが決定」が選択されているなら、前記予約実行結果を画面に表示する。予約実行結果の画面には、例えば、デフォルトで最も上段の候補番組にハイライト（カーソル）を表示しておく（フォーカスをあてる）。ＣＰＵ１３は、リモコン送信機１５の上下キーの押下を検出すると、前記ハイライトの位置を上又は下に移動させる。また、ＣＰＵ１３は、決定キーの押下を検出すると、前記ハイライトの位置の番組を予約録画番組として登録する処理を行う。なお、画面の所定の位置（前記ハイライトが表示された箇所以外の箇所）に表示エリアを形成し、この表示エリアに、前記フォーカスが当てられている番組の番組詳細を表示してもよい。番組詳細はメモリ１４から読み出すことができる。また、「番組説明」といったボタンを表示しておき、このボタンが操作されたことを検出すると、ＣＰＵ１３は前記エリアに前記フォーカスが当てられている番組の番組詳細表示を行うこととしてもよい。ユーザーは、候補番組の番組詳細を見ることで、候補番組が録画失敗番組と同一番組かどうかを確認することができる。ユーザーは、同一番組であると判断したときには、該当候補番組について録画予約を行えばよい。
【００３５】
また、予約実行結果の画面に、「ＥＰＧ画面へ」といったボタンを表示してもよい。このボタンが操作された場合、前記ハイライトの位置の番組が画面の略中央に表示されるようにＥＰＧ画面を生成する。ユーザーは、このＥＰＧ画面上で前記番組の番組詳細といった内容を見て、録画失敗番組と同一番組かどうかを確認することができる。ユーザーは同一番組であると判断したときには、前記ＥＰＧ画面上で該当候補番組の録画予約の操作を行えばよい。また、前記予約実行結果を画面において、各番組の箇所に、他の予約番組と重複しているかどうかを示すマークを表示することとしてもよい。
【図面の簡単な説明】
【００３６】
【図１】この発明の実施形態のディジタル放送受信装置を示したブロック図である。
【図２】この発明の実施形態の予約実行結果一覧を示した説明図である。
【符号の説明】
【００３７】
２Ａ    ＢＳ／ＣＳディジタルチューナ
２Ｂ    地上ディジタルチューナ
３      ＭＰＥＧ−ＴＳデコーダ分離回路
４      映像処理部
５      音声処理部
１３    ＣＰＵ
１５    メモリ
【図１】
0004573733.tif 000002
【図２】
0004573733.tif 000003